(57)【要約】【課題】作業時の土嚢の重さを比較的軽くして作業性が良好であり、積み上げ施工後の吸水した土嚢個々の十分な重量を確保することができる土嚢を提供する。【解決手段】土嚢(S)は通水性を有する土嚢袋(B)を備え、土嚢袋(B)の相対向する少なくとも二箇所には把持部(2)が設けられている。土嚢袋(B)内部には粒状充填物が充填されており、粒状充填物は所要の粒径を有するコンクリート破砕粒を含んでいる。土嚢袋(B)には相対向する二箇所に把持部材(2)が設けられている。土嚢袋(B)の閉塞部(1,1a)には、その一部を変形させることによって粒状充填物を充填する充填口が形成できる。【選択図】図６
2008138503.tif 000002
【特許請求の範囲】
【請求項１】
通水性を有する土嚢袋(B)を備え、
土嚢袋(B)の少なくとも相対向する二箇所に把持部(2,2a,2b)が設けられており、
土嚢袋(B)内部には粒状充填物(6)が充填されており、粒状充填物(6)は全部が所要の粒径を有するコンクリート破砕粒であるか、またはコンクリート破砕粒を含んでいる、
土嚢。
【請求項２】
請求項１記載の土嚢に使用する土嚢袋(B)であって、
土嚢袋(B)の少なくとも相対向する二箇所に把持部(2)が設けられている、
土嚢袋。
【請求項３】
請求項１記載の土嚢に使用する土嚢袋(B1)であって、
土嚢袋(B)の閉じ側(1,1a)の二箇所に閉じ側(1,1a)の端部を折り重ねた部分が形成され、該折り重ねた部分を縫製して開口部を有する袋状の把持部(2a)が形成されている、
土嚢袋。
【請求項４】
請求項１記載の土嚢に使用する土嚢袋(B2)であって、
土嚢袋(B2)の少なくとも相対向する二箇所に穴が設けられており、穴の縁部に縫製による補強が施されて把持部(2b)が形成されている、
土嚢袋。
【請求項５】
請求項１記載の土嚢に使用する土嚢袋(B2)であって、
土嚢袋(B2)の少なくとも相対向する二箇所に穴が設けられ、穴の縁部に縫製による補強が施されて把持部(2b)が形成されており、
把持部(2b)の近傍には、複数の穴が設けられ、穴の縁部に縫製による補強が施されて土嚢袋(B2)同士の連結のための通し部(3b)が形成されている、
土嚢袋。
【請求項６】
土嚢袋(B)の閉じ側(1,1a)の一部を変形させることによって形成可能であり、粒状充填物(6)を土嚢袋(B)内部に充填するための充填口(4)を備えている、
請求項２、３、４または５記載の土嚢袋。
【請求項７】
土嚢袋(B1,B2)の所要箇所に、土嚢袋(B1,B2)内部に粒状充填物(6)を充填するための充填口(4a)が設けられており、充填口(4a)を封止する封止体(8)を備えている、
請求項２、３、４または５記載の土嚢袋。
【発明の詳細な説明】
【技術分野】
【０００１】
本発明は、土嚢及びそれに使用する土嚢袋に関するものである。更に詳しくは、一般砂を充填した従来の一般の土嚢と比較して軽量で作業性が良好であり、積み上げ施工後に吸水した土嚢の個々の十分な重量を確保することができるようにしたものに関する。
【背景技術】
【０００２】
例えば河川の決壊などによる災害を未然に防止するために、土嚢を壁状に積み上げて河岸の脆弱部の補強が行われる。土嚢は、麻布などの通水性を有する袋に一般砂や土を入れたものが一般に使用されている。このような従来のごく一般的な土嚢は、土嚢自体が非常に重い（一般砂の比重は２．５〜２．７である）ために、運搬作業や積み上げ作業における作業性が著しく悪い問題があった。さらに、土嚢の持ち方によっては、内部に充填されている砂や土が偏ってしまい、積み上げる際に偏りを均して平均化させる手間が余分にかかってしまう問題もあった。
【０００３】
このような問題を解決し、保管性や作業性を向上させるものとして、例えば特許文献１記載の土嚢状物形成体がある。特許文献１に記載された土嚢状物形成体は、平面長方形状をなす麻布製の外袋内にポリアクリル酸ナトリウム系の高吸水性ポリマーの微粒子を収容密封水溶性ポリビニルアルコールフィルム製の袋状の包装体を収容し、外袋の開口部を縫合閉塞したものであり、土砂および土砂袋詰め作業なしに土嚢状物として使用できるとともに、自然環境下で漸次分解することができるというものである。
【０００４】
【特許文献１】特開２００１−２７９６３８
【発明の開示】
【発明が解決しようとする課題】
【０００５】
上記構造の土嚢状物形成体は、保管性や作業性を向上させることは可能である。しかしながら、吸水性ポリマーに吸水させた場合の土嚢状物の比重は、９０重量％以上が水であるために、ほぼ水の比重１に近似する。これでは、土嚢状物を使用する際に嵩は同じでも個々の重さが十分ではなく、軽すぎて、例えば大きな水圧がかかる河川の護岸などに使用すると流されやすく、使いにくいという問題があった。また、出水現場などで吸水性ポリマーに吸水させて土嚢状物とするには数分間を要するため、その間に流されてしまう心配もある。
【０００６】
本願発明者は、上記課題を解決するために、土嚢に充填する充填物として様々なものを使用し試行を重ねた。その過程で、従来は産業廃棄物として埋め立てに使用するぐらいしか用途がなかったコンクリート塊に注目した。そして、コンクリート塊を破砕して粒状にしたところ、一般砂より比重が小さく、吸水率については一般砂よりすぐれていることが分かった。本発明は、このような知見に基づき完成したものである。
【０００７】
そこで本発明の目的は、作業時の土嚢の重さを比較的軽くして作業性を良好にできるようにするとともに、積み上げ施工後の吸水したときの土嚢個々の十分な重量を確保することができるようにすることである。
また、本発明の他の目的は、上記目的に加え、土嚢を作業者が運ぶ際に、内部の充填粒状物が偏りにくいようにして積み上げの際の偏りを均し平均化する作業を軽減または不要とし、作業性を向上させることである。
【課題を解決するための手段】
【０００８】
上記課題を解決するために本発明が講じた手段は次のとおりである。
本発明は、
通水性を有する土嚢袋を備え、土嚢袋の少なくとも相対向する二箇所に把持部が設けられており、土嚢袋内部には粒状充填物が充填されており、粒状充填物は全部が所要の粒径を有するコンクリート破砕粒であるか、またはコンクリート破砕粒を含んでいる、土嚢である。
【０００９】
本発明は、
本発明に係る土嚢に使用する土嚢袋であって、
土嚢袋の少なくとも相対向する二箇所に把持部が設けられている、土嚢袋である。
【００１０】
本発明は、
本発明に係る土嚢に使用する土嚢袋であって、
土嚢袋の閉じ側の二箇所に閉じ側の端部を折り重ねた部分が形成され、該折り重ねた部分を縫製して開口部を有する袋状の把持部が形成されている、土嚢袋である。
【００１１】
本発明は、
本発明に係る土嚢に使用する土嚢袋であって、
土嚢袋の少なくとも相対向する二箇所に穴が設けられており、穴の縁部に縫製による補強が施されて把持部が形成されている、土嚢袋である。
【００１２】
本発明は、
本発明に係る土嚢に使用する土嚢袋であって、
土嚢袋の少なくとも相対向する二箇所に穴が設けられ、穴の縁部に縫製による補強が施されて把持部が形成されており、
把持部の近傍には、複数の穴が設けられ、穴の縁部に縫製による補強が施されて土嚢袋同士の連結のための通し部が形成されている、土嚢袋である。
【００１３】
本発明に係る土嚢袋は、
土嚢袋の閉じ側の一部を変形させることによって形成可能であり、粒状充填物を土嚢袋内部に充填するための充填口を備えているのが好ましい。
【００１４】
本発明に係る土嚢袋は、
土嚢袋の所要箇所に、土嚢袋内部に粒状充填物を充填するための充填口が設けられており、充填口を封止する封止体を備えているのが好ましい。
【００１５】
土嚢袋に充填される粒状充填物は、全体がコンクリート破砕粒であってもよいし、他の一般砂や土などを主材として一部がコンクリート破砕粒であってもよい。なお、コンクリート破砕粒が粒状充填物全体に占める割合が多い方が、多孔性であり吸水率が高いというコンクリート破砕粒の特性をより顕著に現すことができるのはいうまでもない。
【００１６】
把持部は、作業者が土嚢袋の内部に充填された粒状充填物が偏らないように、土嚢を両手で横にして持ちやすいようにするためのものであり、二箇所に限定されるものではない。
すなわち、三箇所または四箇所、さらには五箇所以上の複数箇所に設けることもできる。
【００１７】
（作用）
本発明に係る土嚢の作用を説明する。なお、ここでは、説明で使用する各構成要件に、後述する実施の形態において各部に付与した符号を対応させて付与するが、この符号は、特許請求の範囲の各請求項に記載した符号と同様に、あくまで内容の理解を容易にするためであって、各構成要件の意味を上記各部に限定するものではない。
【００１８】
土嚢(S)は、施工箇所に幅方向または長手方向に並べられ、必要に応じて、例えば連結具などを鳩目に通すなどして連結される。そして、土嚢(S)は必要な段数積み上げられて施工される。
土嚢袋(B)の把持部(2)は、相対向する少なくとも二箇所に設けられているので、土嚢(S)を運ぶ際に両手で各把持部(2)を掴めば、持ちやすいだけでなく、土嚢(S)を横にして水平に持つことができる。これにより、土嚢(S)の内部の充填粒状物(6)は偏りにくく、従来のような積み上げの際の充填物の偏りを均し平均化する作業が軽減され、または不要となり、作業性をより向上させることができる。
【００１９】
土嚢(S)は、粒状充填物(6)として、多孔性物質であり比重が一般砂の比重と比較してやや小さいコンクリート破砕粒を使用しているので、粒状充填物(6)に吸水していない状態の土嚢(S)は、同じ容積の一般砂を充填した土嚢と比較して軽量であり、女性や子供でも取り扱いがしやすく、作業性にすぐれている。
【００２０】
また、上記粒状充填物(6)は多孔性物質であるので、一般砂などと比較して吸水率は高い。したがって、土嚢(S)は、積み上げた後、吸水率の高い粒状充填物(6)に十分に吸水することによってさらに重くなり、一般砂を充填した土嚢が吸水した場合と同等またはそれ以上の重さになるので、大きな水圧がかかる河川の護岸などにも支障なく使用することができる。
【００２１】
土嚢袋の閉じ側の二箇所に閉じ側の端部を折り重ねた部分が形成され、該折り重ねた部分を縫製して開口部を有する袋状の把持部が形成されている土嚢袋は、把持部が土嚢袋の素材そのもので形成されているので、例えば別体に形成された部材を装着する場合と比較して製造時の工程を簡略化することができ、製造コストも安価にすることができる。さらには、使用する素材の種類が少なくなることによって、土嚢袋を廃棄する際の分別が容易にできる。あるいは、単一の素材で形成することによって、分別する必要がなくなる。
【００２２】
土嚢袋の少なくとも相対向する二箇所に穴が設けられており、穴の縁部に縫製による補強が施されて把持部が形成されている土嚢袋は、縫製する糸や紐を土嚢袋本体と同じ素材でつくることが可能になる。通し部を構成する穴の縁部を縫製により補強する場合も同様である。なお、縫製による補強としては、例えばかがり縫いによるものであるが、他の縫い方を採用することもできる。このようにすれば、前記と同様に例えば別体に形成された部材を装着する場合と比較して製造時の工程を簡略化することができ、製造コストも安価にすることができる。さらには、使用する素材の種類が少なくなることによって、土嚢袋を廃棄する際の分別が容易にできる。あるいは、単一の素材で形成することによって、分別する必要がなくなる。
【００２３】
土嚢袋の所要箇所に、土嚢袋内部に粒状充填物を充填するための充填口が設けられており、充填口を封止する封止体を備えている土嚢袋は、まず、封止体を接着しない状態で充填口に充填管を差し込み、土嚢袋の内部に粒状充填物を適量充填する。そして、充填口を塞ぐように封止体を接着する。このように、比較的容易に粒状充填物の充填を行うことができる。
【発明の効果】
【００２４】
（ａ）本発明に係る土嚢は、粒状充填物としてコンクリート破砕粒を使用しており、一般砂などと相違して多孔性物質であり、その比重は一般砂と比較してやや小さく吸水率は高い。したがって、粒状充填物に吸水していない状態の土嚢は、同じ容積の一般砂を充填した土嚢と比較して軽量であり、女性や子供でも取り扱いがしやすく、作業性にすぐれている。
【００２５】
（ｂ）土嚢は、積み上げた後、吸水率の高い粒状充填物に十分に吸水することによってさらに重くなり、一般砂を充填した土嚢が吸水した場合と同等またはそれ以上の重さになるので、大きな水圧がかかる河川の護岸などにも支障なく使用することができる。
【００２６】
（ｃ）土嚢袋の相対向する少なくとも二箇所に把持部が設けられているので、土嚢を運ぶ際に両手で各把持部を掴めば、持ちやすいだけでなく土嚢を横にして水平に持つことができる。これにより、土嚢の内部の充填粒状物は偏りにくく、従来のような積み上げの際の充填物の偏りを均し平均化する作業が軽減され、または不要となり、作業性をより向上させることができる。
【発明を実施するための最良の形態】
【００２７】
本発明を図に示した実施例に基づき詳細に説明する。
【実施例】
【００２８】
図１は本発明に係る土嚢袋の平面視説明図、
図２は土嚢袋の底面視説明図、
図３は土嚢袋の正面視説明図、
図４は土嚢袋の図１におけるＡ−Ａ断面図、
図５は土嚢袋に粒状充填物を充填する方法を示す説明図である。
【００２９】
土嚢袋Ｂは、合成樹脂製の繊維でつくられた通水性シートで形成されている。通水性シートは、本実施の形態では、ポリプロピレン・１２００デニール±１０％、織布密度１０×１０本／インチのものを採用しているが、これに限定はされない。土嚢袋Ｂは、筒状に縫製したシートを所要長さに切断し、両切断部側を所要幅で折り曲げ、折り曲げた部分を縫製して閉塞し、平面視で長方形状とした構造を有している。
【００３０】
土嚢袋Ｂの両側の閉塞部１、１ａの中央部には、土嚢袋Ｂの二箇所に相対向して合成樹脂製の把持部材２が取り付けられている。把持部材２は、閉塞部１、１ａに設けた穴を挟んで嵌着される一対の把持部構成体（符号省略）により構成されている。
【００３１】
土嚢袋Ｂの両側の閉塞部１、１ａの四隅部のうち、一方の閉塞部１の一隅部を除く三隅部には、鳩目３が取り付けられている。各鳩目３は、土嚢袋Ｂに粒状充填物を充填した土嚢Ｓ（後述、図６参照）を積み上げるときに、隣り合う土嚢Ｓ同士を連結するための連結具や紐などを通す通し部として使用されるものである。
【００３２】
土嚢袋Ｂのうち、鳩目３が設けられていない一隅部には、一部縫製されていない部分が設けてあり、この部分が粒状充填物を充填する充填口４（後述、図５参照）となっている。充填口４は、図５に示すように通水性シートを変形させることによって充填する路として形成することができる。
【００３３】
土嚢Ｓは、土嚢袋Ｂに粒状充填物を充填して形成される。土嚢袋Ｂに粒状充填物を充填する方法は次のとおりである。
まず、図５に示すように、鳩目３が設けられていない部分の通水性シートを変形させて形成した充填口４に充填装置（図示省略）の充填管５を差し込んで、粒状充填物６を適量充填する。粒状充填物６の充填量は、例えば土嚢袋Ｂが最大に膨らんだときの容量の９０％であるが、適宜調節が可能であり、これに限定するものではない。本実施の形態では粒状充填物６の全量がコンクリート破砕粒である。
【００３４】
粒状充填物６の充填が終了したら、充填口４から充填管５を抜き取り、通水性シートを変形させた部分をもとの折り曲げた形状に戻し、閉塞部１の一隅部に他の三隅部分と同じように鳩目３を取り付ける。これにより、充填口４を形成していた部分が閉じられ、この部分からの粒状充填物６の漏れ出しを防止することができる。
【００３５】
なお、粒状充填物６は、コンクリートを使用した建物や道路などの構築物を解体した際に生じるコンクリート塊を破砕して粒状としたものである。粒状充填物６の粒径は特に限定するものではないが、土嚢袋Ｂから漏れ出すことがなく、充填管５を使用した充填作業にも支障がない程度、例えば１〜５ｍｍである。また、このようにしてつくられた粒状充填物６は多孔性物質であり、比較的軽量であるが吸水性は高い。粒状充填物６の比重と吸水率の一例を一般砂と比較して表１に示す。
【００３６】
【表１】
2008138503.tif 000003
【００３７】
（考察）
表１から分かるとおり、粒状充填物６の比重は、一般砂と比較して９％程小さく、やや軽量である。また、粒状充填物６の吸水率は、一般砂と比較して、三倍以上ときわめて高い。つまり、粒状充填物６と一般砂を同じ重さで比較すれば、粒状充填物６は一般砂よりもより多くの水を吸収することができる。
なお、二枚の同じ土嚢袋に、それぞれ同じ容積の一般砂と粒状充填物６を充填して吸水させ、重さを比較したところ、吸水率にすぐれた粒状充填物６を充填した土嚢は、一般砂を充填した土嚢と比較して、約１．２倍の重さとなった。
【００３８】
（作用）
図６は土嚢袋に粒状充填物を充填して形成した本発明に係る土嚢と、土嚢同士の連結構造を示す斜視説明図、
図７は土嚢の積み方を示す斜視説明図である。
図１ないし図７を参照して、本発明に係る土嚢Ｓの使用方法及び作用を説明する。
【００３９】
土嚢Ｓは、図６、図７に示すように幅方向に並べて連結される。土嚢Ｓ同士の連結は、連結具７によって行われるが、他の連結手段（例えば紐など）を使用してもよい。
連結具７は柔軟性を有する合成樹脂製である。連結具７は、連結部７０の両端に掛止部７１、７２を有するＨ形状であり、掛止部７１、７２をそれぞれ隣り合う土嚢Ｓの近接する鳩目３に掛止させて連結する。連結部７０の長さは、土嚢Ｓを横に並べたときに、隣接する土嚢Ｓの鳩目３に届く長さに設定されている。また、掛止部７１、７２のそれぞれの長さは、直線状に伸びたときに鳩目３の穴の内径より長くなって鳩目３に掛止できる長さに設定されている。
【００４０】
幅方向に並べて連結された土嚢Ｓは、各土嚢Ｓの幅方向の長さの二分の一ずつ横にずらして重ねるようにする。このようにして重ねると、各土嚢Ｓの間の低くなった部分に上部の土嚢Ｓが収まって位置するので、土嚢Ｓで構築される土嚢壁Ｗが安定し強固になる。
なお、土嚢Ｓは、上記のように幅方向に連結せずに長手方向に連結することもできる。
また、上下の土嚢Ｓをずらさないで重ねることもできる。
【００４１】
なお、連結具７は、あらかじめ任意の鳩目３に取り付けておくこともできる。連結具７を取り付けておく鳩目３の位置は特に限定しないが、例えば土嚢Ｓの長手方向の一端側の二箇所、または幅方向の一端側の二箇所などである。
さらには、土嚢袋Ｂの表面に、土嚢Ｓの積み方の説明図を印刷して表しておくこともできる。これによると、土嚢を積む作業を経験したことがない作業者でも、正しく積み上げられた十分な強度の土嚢壁を構築することができる。
【００４２】
土嚢Ｓは、粒状充填物６として、廃材である上記コンクリート塊を破砕して粒状としたもの（コンクリート破砕粒）を使用している。すなわち、コンクリート破砕粒は一般砂などと相違して多孔性物質であり、その比重は一般砂の比重２．５〜２．７と比較してやや小さいが吸水率は高い。したがって、粒状充填物６に吸水していない状態の土嚢Ｓは、同じ容積の一般砂を充填した土嚢と比較して軽量であり、高吸水性ポリマーを収容して吸水させた土嚢ほどではないが女性や子供でも取り扱いがしやすく、作業性にすぐれている。
【００４３】
また、土嚢Ｓは、積み上げた後、吸水率の高い粒状充填物６に十分に吸水することによってさらに重くなり、一般砂を充填した土嚢が吸水した場合と同等またはそれ以上の重さになる（上記表１の考察参照）ので、大きな水圧がかかる河川の護岸などにも支障なく使用することができる。
【００４４】
さらに、土嚢Ｓは、長手方向の両端部に相対向して把持部材２が設けられているので、土嚢Ｓを運ぶ際に両手で各把持部材２を掴めば、土嚢Ｓを横にして水平に持つことができる。これにより、土嚢Ｓの内部の充填粒状物６は偏りにくく、従来のような積み上げの際の充填物の偏りを均し平均化する作業が軽減され、または不要となり、作業性をより向上させることができる。
【００４５】
図８は本発明に係る土嚢の他の実施形態を示す斜視図、
図９は図８に示す土嚢に使用する土嚢袋を示し、（ａ）は裏面側の把持部の要部斜視図、（ｂ）は表面側の充填口と封止構造を示す説明図である。
【００４６】
土嚢Ｓ１は、土嚢袋Ｂ１にコンクリート破砕粒等の粒状充填物６を適量充填して形成されている。土嚢袋Ｂ１は、前記土嚢袋Ｂと同様の素材で形成されている。
土嚢袋Ｂ１は、筒状に縫製したシートを所要長さに切断し、両切断部側を所要幅で二重に折り曲げ、折り曲げた部分を適宜縫製して閉塞し、平面視で長方形状とした構造を有している。
【００４７】
図９（ａ）を参照する。
筒状に縫製したシートの両端側（両切断部側）は、裏面側（図８で下面側、図９（ａ）で上面側）に二重に、すなわち二回同じ幅に重ねて折り曲げられている。この折り曲げられた部分は、幅方向の両端側を縁部で四角形状に縫製し、さらにそれらの間（図９（ａ）で奥側縁）を縫製することにより、幅方向の中央部に所要幅で袋状となった把持部２ａが形成されている。両把持部２ａは、中央側に開いた開口部から指を入れ、引っ掛けることで把持部として使用できるものである。また、折り曲げられた部分の幅方向の両端側には、前記土嚢袋Ｂの鳩目３と同様の鳩目３がそれぞれ取り付けられている。
【００４８】
図９（ｂ）を参照する。
土嚢袋Ｂ１のシートが折り曲げられた部分より長手方向の中央側かつ幅方向の一端側には、幅方向に所要長さの切込を入れて、粒状充填物６を充填するための充填口４ａが形成されている。充填口４ａの形成は、熱溶断により行ってもよいし、切断により行ってもよい。なお、前者の場合では、充填口４ａ周囲の繊維や糸の解れが防止できる利点がある。
また、充填口４ａは、粒状充填物６を充填したあとは、封止シール８を貼付することによって塞ぐことができる。封止シール８は、本実施の形態では一度貼付したら剥がれないようになっているが、これに限定せず、一度貼付したものを剥がすことができるタイプや貼付と剥離が繰り返しできるタイプを採用することもできる。
【００４９】
土嚢Ｓ１と土嚢袋Ｂ１の作用については、前記把持部２ａの使い方や充填口４ａの封止の方法が異なるだけで、その他の作用は同様であるので、詳細な説明は省略する。
なお、土嚢袋Ｂ１の把持部２ａは、前記土嚢袋Ｂの合成樹脂製の把持部材２とは違って、シートの素材そのもので形成されており、製造時の工程を簡略化し、製造コストを安価にできると共に廃棄する際の分別が容易にできる利点もある。
【００５０】
図１０は本発明に係る土嚢袋の他の実施形態を示す要部斜視図である。
土嚢袋Ｂ２は、筒状に縫製したシートを所要長さに切断し、両切断部側に合成樹脂製の補強板９を挟み込んで所要幅で折り曲げ、折り曲げた部分を縫製して閉塞し、平面視で長方形状とした構造を有している。
【００５１】
シートを折り曲げた部分の中央部は補強板９ごと長円状に打ち抜かれ、その縁部を全周にわたりシートと同じ素材の紐でかがり縫いをして縁部に補強部２０を設けることにより、把持部２ｂが形成されている。また、前記土嚢袋Ｂ１の鳩目３と同様の箇所には、長円状を小孔状としたことを除き、把持部２ｂと同様に小孔の縁部にかがり縫いをして通し部である通し孔３ｂが形成されている。通し孔３ｂは鳩目３と同様に使用される。また、土嚢袋Ｂ２は、前記土嚢袋Ｂ１と同様の充填口４ａ及び封止シール８を備えている。
【００５２】
土嚢袋Ｂ２の作用については、前記土嚢袋Ｂの作用と同様であるので、詳細な説明は省略する。なお、土嚢袋Ｂ２の把持部２ｂ及び通し孔３ｂは、前記土嚢袋Ｂの合成樹脂製の把持部材２や鳩目３とは違って、シートの素材そのもので形成されており、製造時の工程を簡略化し、製造コストを安価にできる利点がある。また、例えばシートを幾重にも折り曲げて補強板９を使用しない構造とすれば、さらに廃棄する際の分別が容易にできる利点もある。
【００５３】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００５４】
【図１】本発明に係る土嚢袋の平面視説明図。
【図２】土嚢袋の底面視説明図。
【図３】土嚢袋の正面視説明図。
【図４】土嚢袋の図１におけるＡ−Ａ断面図。
【図５】土嚢袋に粒状充填物を充填する方法を示す説明図。
【図６】土嚢袋に粒状充填物を充填して形成した本発明に係る土嚢と、土嚢同士の連結構造を示す斜視説明図。
【図７】土嚢の積み方を示す斜視説明図。
【図８】本発明に係る土嚢の他の実施形態を示す斜視図。
【図９】図８に示す土嚢に使用する土嚢袋を示し、（ａ）は裏面側の把持部の要部斜視図、（ｂ）は表面側の充填口と封止構造を示す説明図。
【図１０】本発明に係る土嚢袋の他の実施形態を示す要部斜視図。
【符号の説明】
【００５５】
Ｓ  土嚢
Ｂ  土嚢袋
１、１ａ  閉塞部
２  把持部材
３  鳩目
４  充填口
５  充填管
６  粒状充填物
７  連結具
Ｗ  土嚢壁
Ｓ１  土嚢
Ｂ１  土嚢袋
２ａ  把持部
４ａ  充填口
８  封止シール
Ｂ２  土嚢袋
２ｂ  把持部
２０  補強部
３ｂ  通し孔
９  補強板
【図１】
2008138503.tif 000004
【図２】
2008138503.tif 000005
【図３】
2008138503.tif 000006
【図４】
2008138503.tif 000007
【図５】
2008138503.tif 000008
【図６】
2008138503.tif 000009
【図７】
2008138503.tif 000010
【図８】
2008138503.tif 000011
【図９】
2008138503.tif 000012
【図１０】
2008138503.tif 000013